(57)【要約】      （修正有）【課題】各種薬剤を含浸させた木質材および接着剤を使用せず、有害物質の放散のない合板と同等な強度、加工性、寸法安定性に優れた素材の提供。【解決手段】不織布を主原料とし、低融点あるいは生分解性低融点ファイバーを使用した熱圧着素材１の間に、炭、天然及び人工鉱物粉、貝粉等有益物質の任意の混入固定、繊維等補助素材との組み合わせによる素材２を挟んで、これらを融合させた多機能性の高い新素材を提供する。【効果】主原料の不織布の目付け量の変化と、低融点、あるいは生分解性低融点ファイバーの使用量の変化と使用用途に合わせた補助材の混入で、使用用途に合わせた強度の確立と表面及び多孔質に被覆を形成しない固定を可能にした。【選択図】図１
2005231162.tif 000002
【特許請求の範囲】
【請求項１】
主原料である不織布に生分解性低融点もしくは低融点ファイバーを混入し熱・圧力・で使用用途にあわせた積層、補助材を任意に用いて強度、通気性、透水性、大きさ、厚さ、等に加工した建築資材及び変形自由な成形物
使用用途にあわせ任意に加工できることと形状を自由に変えられることを特徴とする
【請求項２】
主原料の不織布に炭・天然及び人工鉱物粉・貝等有益物質や織維、木材等、他の素材を使用用途にあわせて、任意の位置に任意の形状で接着剤を使用することなく加工する製造の方法
【請求項３】
水質浄化、空気浄化、排ガス浄化、有害電磁波の遮断等を目的とした変形自由な成形物
【発明の詳細な説明】
【技術分野】
【０００１】
本発明は、建築、工業、農林水産業、環境、その他一般用として使用される、不織布を主原料とした変形自由な成形物の製造技術に関するものである。
【背景技術】
【０００２】
建築における材料として合板は、床、壁、天井の仕上げ材及び下地材として利用されている。合板は、天然木材にくらべ生産性、経済性にすぐれ、寸法安定性や耐久性においても数多くの利点がある。
【０００３】
炭、天然鉱物粉、人工鉱物粉、貝粉等有益物質は有益ガスの吸着分解、調湿、マイナスイオン放出遠赤外線効果等が知られている。使用方法としては、糸の中には練り込んだり、接着、はさみ込みと、それぞれに固定に際して接着剤が使用される。
【０００４】
不織布は合成繊維あるいは天然繊維をランダムに結合させ、布状に加工されたものであり、通気性、透水性、難燃性等多くの機能を有し建築材料、医療、アパレル等の用途に広く利用されている。
【発明の開示】
【発明が解決しようとする課題】
【０００５】
前述の合板等、木質材は製造時に接着剤を使用したり木質材に各種薬剤を含浸させていることが多くまた仕上げに際して合成樹脂のコーティングが施されているものもある。その為施工後に木質材に含まれるホルマリン等有害物質の放散によるアレルギー症や臭いによる不快感が生まれることがある。
【０００６】
炭・天然及び人工鉱物粉、貝粉等有益物質においても有害物質を固定する際に接着剤等を使用する為多くの物質が有する多孔質に接着剤の浸透及び表面被覆がなされ、それぞれが有する機能を十分に発揮できないことが多い。
【０００７】
そこで従来、住宅施工後、前記有害物質の影響が少なくなるまで、入居を遅らせる等の処置が行われていた。しかし長く放置することに起困する経済的な損失が大きくまた改築、造築においても同様のことが起こりうるその間多くの人に不便を与えている。
本発明の課題は前記合板に変わる新素材の開発によりこれらの問題を解決することにある。
【０００８】
さらに、炭・天然及び人工鉱物粉、貝粉等有益物質も木質、金属、繊維等に固定する為に接着剤を使用し多くの物質が有する多孔質に接着剤の浸透、表面被覆が見られそれぞれが有する機能効果に問題があった。接着剤を使用することなく任意の位置に任意の形状で有益物質を固定する必要がある。
【課題を解決するための手段】
【０００９】
本発明による新素材は木質材を使用することなく不織布の重ね合わせと積層された不織布を低融点ファイバー及び生分解性低融点ファイバーを使用し任意の形状に熱圧着させる製造方法である
上記製造に際し炭・天然・人工鉱物粉・貝粉等有益物質を分散した状態で含ますことで多機能を有する素材を提案するものである。
【００１０】
素材の性質、使用用途に合わせて積層間にアラミド等の繊維及び補助材を使用し強度等の向上をはかる。
【発明を実施するための最良の形態】
【００１１】
単体及び複数枚の不織布の積層を不織布に任意に混入した低融点、生分解性低融点ファイバーで熱・圧着する製造方法において不織布の目付け量と積層を変化させる方法あるいは熱・圧力を変化させる方法,補助材を使用する方法等で板状物の形成ができ曲げ、引っぱり、引きちぎり等の強度を変化させることができる。これによって、合板に変わる建築資材等その他の分野においても使用が可能になる。
【００１２】
複数積層を熱圧着する際に接着剤を使用しないことと木質材にほどこされる各種薬品の含浸を行わないために有害物質の放散はみられない。
【００１３】
不織布は、通気性、透水性、難燃性、防音、断熱等さまざまな性質を有している本来有する利点を損なうことなく積層し板状化することで複数の性質利点を有する素材の製造が可能となる。
【００１４】
熱圧着時に使用する低融点及び生分解性低融点ファイバーは低い温度からの接着が可能であるそのため高温に適さない補助材や有益物質の任意固定が実現する。接着はファイバー同士の接着になる為に炭・鉱物粉等の多孔質や表面を被覆することなく固定できる。
【００１５】
不織布の任意な場所に任意な形状での固定が可能であり、炭・鉱物粉等混合物もしくは単体での固定が可能である。あるいは高強度,防音,断熱等の利点を有する繊維や金属・木質等を積層内に入れ込むことができる。
【００１６】
本発明の製造設備においては加熱・加圧を必要とし加熱に対しては低融点ファイバーの融点範囲と製造物の利用用途に合わせて決定する。
圧力においても同様の選択を行なう。
【００１７】
板状形成物はさらにＬ型、アーチ型等、板状を基本とした他形状に加工することができる。
【００１８】
これらの製造素材の収量変化は圧力による厚み変化が主で収縮、膨張変化はみられない。
【００１９】
本発明に使用する不織布は、通常の不織布を基本とするが使用用途に合わせて目付け量繊維の太さを変化させたものに低融点、もしくは生分解性低融点ファイバーを使用用途に合わせた量を混入したものを用いる。
【００２０】
不織布については、防火性のあるもの、もしくは防火処理を施したものを使用することで難燃素材としての形成も可能である。この場合,高融点ファイバーを使用することがある。
【００２１】
熱圧着後,急速に加冷することで滑らかな表面層が得られる。
【００２２】
【表１】
2005231162.tif 000003
【００２３】
【表２】
2005231162.tif 000004
表1は,目付け250を使用したときの引っ張り強度を示し表2は目付け500を使用したときの強度を示す。比較すると不織布を構成する各種天然及び合成繊維の目付け量を変化させることで強度を高めることができる。
【産業上の利用可能性】
【００２４】
本発明により有害物質の放散が皆無の建築素材と有益物質の機能を損なうことのない板状形成物の提供が容易になされる。
【００２５】
その結果、新築、増改築住宅での有害物質の放出による問題を解決し、有益物質の任意な形状で任意固定が可能なため、広範囲な分野での使用が可能になる。
【図面の簡単な説明】
【００２６】
【図１】本発明の形態を示す板状物の断面図(実施例１)
【符号の説明】
【００２７】
１  低融点ファイバー混入不織布
２  有益物質
【図１】
2005231162.tif 000005